(57)【要約】本発明は液体化粧料塗布具を開示する。本発明は液体化粧料塗布具は、筒状の容器本体（１）の内部に固定され、弁部（２ｃ）と液体通路（２ｄ）を有するジョイント部材（２）を有する。ブラシホルダ（３）は、ジョイント部材に摺動可能に設けられ、第一ばね（Ｓ１）により常時弁部（２ｃ）から離間した位置に付勢される弁座（３ｂ）およびブラシ手段（４）を保持するホルダー部（３ｅ）を有する。  ブラシ保護用キャップ（７）は、容器本体に着脱可能に設けられ、ブラシホルダを覆う。又、パイプ部材（５）は、ジョイント部材の一端に摺動可能に載置され、第二ばね（Ｓ２）により常時他端側へ付勢されるように形成されている。更に、液体化粧料を含むカートリッジ（６）は、第二のばねのばね力に抗してパイプ部材に摺動可能に装着される。
2008513175.tif 000002
【特許請求の範囲】
【請求項１】
筒状の容器本体の内部に固定され、弁部を形成した一端近傍と他端とを連通する液体通路を有するジョイント部材、、
同ジョイント部材との間に縮設した第一ばねのばね力により常時上記弁部から離間した位置に付勢される弁座とブラシ手段を保持するホルダー部とを有し、上記ジョイント部材に液密的に摺動可能に形成されたブラシホルダ、
上記容器本体に着脱自在に設けられ、上記ブラシホルダに蓋をするブラシ保護用のキャップ、
上記ジョイント部材の上記他端外側に液密的に摺動可能に設けられ、上記容器本体と上記ジョイント部材との間に縮設した第二ばねのばね力により常時上記他端側へ付勢されるように形成したパイプ部材、および
同パイプ部材の外方から圧入可能で、かつ、同パイプ部材との間で上記第二ばねのばね力に抗して摺動可能に装着された液体化粧料用のカートリッジ
を含む液体化粧料塗布具であって、
上記カートリッジを上記パイプ部材に装着したとき、上記カートリッジ外方終端部近傍が上記容器本体に形成した開口端部から外部に臨む液体化粧料用塗布具。
【請求項２】
上記カートリッジの外方終端部に上記容器本体の開口端部を通るノック用キャップを脱着自在に取り付けると共に、同キャップの頭部に上記容器本体の開口端部に当接可能なストッパ部を設けたことを特徴とする請求項１記載の液体化粧料用塗布具。
【請求項３】
上記パイプ部材の内方端に上記第二ばねを受け止めるばねシートを形成し、かつ、同ばねシートに、上記容器本体内に沿って移動可能で上記カートリッジの外方への最大移動量を規定するストップリングを設け、且つ、
上記ノック用キャップに上記容器本体と当接可能なストッパ部を設けた請求項１または２記載の液体化粧料用塗布具。
【請求項４】
上記ブラシ保護用キャップが、
アウターキャップと、
同アウターキャップ内に移動可能に設けたインナーキャップと、
上記アウターキャップと上記インナーキャップとの間に設けた上記第一ばねのばね力よりも大きなばね力を有する第三ばねとを含み、
上記ブラシ保護用キャップを上記容器本体に被着して上記インナーキャップを上記ブラシホルダに当接させるとき、上記第三ばねのばね力が上記インナーキャップを介して上記ブラシホルダに伝達されることを特徴とする請求項１乃至３のいずれか一項に記載の液体化粧料用塗布具。
【請求項５】
上記ブラシホルダのホルダー部に設けられる上記ブラシ手段は、
ブラシと、
同ブラシ外周を包むブラシケースとを含み、且つ、
同ブラシケースの外側に上記インナーキャップに当接可能な鍔部を形成したことを特徴とする請求項４記載の液体化粧料用塗布具。
【発明の詳細な説明】
【技術分野】
【０００１】
本発明は、カートリッジを交換する際に、液体化粧料塗布具のキャップを容器本体から取り外す必要なく、液体化粧料の充填されたカートリッジを交換することができるように構成した手軽で簡単操作を実現した液体化粧料用塗布具に関する。
【背景技術】
【０００２】
従来、まつげの生え際に沿って液体化粧料を塗布して目の形を引き立てて、目元をはっきりさせる液体化粧料用塗布具、即ち、「アイライナー」(商標)が使用されている。図７に示すペン型のものは、液体化粧料塗布具の従来例である。これは、ブラシ０１ａを備えた首軸部０１を有する。液体化粧料を充填したカートリッジ０２は、首軸部０１に圧入して差し込まれる。筒状の軸部材０３は、図示しないばねを内蔵したそのばね力により付勢されたノックボタン０３ａを有すると共に、首軸部０１のネジ部０１ｂにねじ込んで固定される。更に、この塗布具は、軸部材に形成したネジ部０３ｂにねじ込むことでブラシ０１ａに蓋をするキャップ０４を有している。
このように、キャップ０４はカートリッジ０２を保護する軸部材０３に形成したネジ部０３ｂにねじ込んだりすることにより、キャップ０４が装着できるようになっている。アイライナーを使用しない場合では、アイライナーは図７（ａ）のような状態にあり、使用する場合には、図７（ｂ）のようにキャップ０４をネジ部０３ｂから取り外して、ブラシ０１ａをまつげの生え際に沿ってラインをひいて化粧する。一方、カートリッジ０２を交換する場合には、図７（ｃ）のようにキャップ０４を軸部材０３のネジ部０３ｂから取り外し、次いで軸部材０３を首軸部１のネジ部０１ｂから取り外して行う。
【０００３】
しかしながら、上記従来のアイライナーにあっては、キャップ０４は軸部材０３のネジ部０３ｂにねじ込まれる構造であるため、カートリッジ０２を取り換える場合には、キャップ０４だけでなく軸部材０３も首軸部１から取り外さないと、カートリッジの取り換えができなかった。
このため、カートリッジの交換操作に手間取り、短時間での交換が行い難かった。また、カートリッジ０２を装着した後は、再び軸部材０３を首軸部１にねじ込んで取り付けてからノックボタン０３ａを押すというリセット操作をすることにより初めてアイライナーとして使用できる状態となるため、結果としてカートリッジ０２の交換操作が極めて煩雑となり、不利不便であった。
【発明の開示】
【発明が解決しようとする課題】
【０００４】
このような問題点を解消するために、カートリッジ交換時においては、キャップを取り外すことなくカートリッジの取り換えを短時間で簡単に行え、交換後はそのままの状態でキャップをはずすだけで直ちに使用可能となる液体化粧料用塗布具を提供しようとするのが、本発明の目的である。
【課題を解決するための手段】
【０００５】
上記課題を解決するために、本発明においては次のような手段を講ずることとした。
【０００６】
すなわち、第一の発明に係る液体化粧料用塗布具は、
筒状の容器本体の内部に固定され、弁部を形成した一端近傍と他端とを連通する液体通路を有するジョイント部材、、
同ジョイント部材との間に縮設した第一ばねのばね力により常時上記弁部から離間した位置に付勢される弁座とブラシ手段を保持するホルダー部とを有し、上記ジョイント部材に液密的に摺動可能に形成されたブラシホルダ、
上記容器本体に着脱自在に設けられ、上記ブラシホルダに蓋をするブラシ保護用のキャップ、
上記ジョイント部材の上記他端外側に液密的に摺動可能に設けられ、上記容器本体と上記ジョイント部材との間に縮設した第二ばねのばね力により常時上記他端側へ付勢されるように形成したパイプ部材、および
同パイプ部材の外方から圧入可能で、かつ、同パイプ部材との間で上記第二ばねのばね力に抗して摺動可能に装着された液体化粧料用のカートリッジ
を含む液体化粧料塗布具であって、
上記カートリッジを上記パイプ部材に装着したとき、上記カートリッジ外方終端部近傍が上記容器本体に形成した開口端部から外部に臨むものである。
【０００７】
また、第二の発明は、請求項１記載の液体化粧料用塗布具に係り、上記カートリッジの外方終端部に、上記容器本体の開口端部を通るノック用キャップを脱着自在に取り付けたものである。
【０００８】
また、第三の発明は、上記パイプ部材の内方端に上記第二ばねを受け止めるばねシートを形成し、かつ、このばねシートに、上記容器本体内に沿って移動可能で上記カートリッジの外方への最大移動量を規定するストップリングを設ける一方で、上記ノック用キャップに上記容器本体と当接可能なストッパ部を設けたものである。
【０００９】
また、第四の発明は、請求項１乃至３のいずれか一項に記載の液体化粧料用塗布具に係り、上記ブラシ保護用キャップを、アウターキャップと、同アウターキャップ内に移動可能に設けたインナーキャップと、上記アウターキャップと上記インナーキャップとの間に設けた上記第一ばねのばね力よりも大きなばね力を有する第三ばねとから形成し、上記ブラシ保護用キャップを上記容器本体に被着して、上記インナーキャップを上記ブラシホルダに当接させるとき、上記第三ばねのばね力が上記インナーキャップを介して上記ブラシホルダに伝達される。
【００１０】
また、第五の発明は、請求項４記載の液体化粧料用塗布具に係り、上
記ブラシホルダのホルダー部に設けられる上記ブラシ手段は、ブラシと、同ブラシ外周を包むブラシケースとで形成する一方で、同ブラシケースの外側に上記インナーキャップに当接可能な鍔部が形成されている。
【発明の効果】
【００１１】
よって、請求項１記載の発明に係る液体化粧料用塗布具によれば、ジョイント部材の一端にはブラシホルダを、ジョイント部材の他端にはカートリッジを装着可能なパイプ部材をそれぞれ設け、このジョイント部材を収納するようにジョイント部材の外側から筒状の容器本体を挿入して固定する。ブラシホルダはジョイント部材との間に縮設した第一ばねにより常時弁座がジョイント部材の弁部から離間する方向（ジョイント部材の一端方向、つまり液体化粧料が流れる下流側の方向）に付勢される。他方、パイプ部材は容器本体とジョイント部材との間に縮設した第二ばねにより常時ジョイント部材の他端方向（上流側の方向）へ付勢される。そして、容器本体には、ブラシ保護用のキャップが着脱自在に取り付けられる。パイプ部材に圧入して装着されたカートリッジは、その外方終端部近傍が上記容器本体に形成した開口端部から外部に臨むようになっている。このため、カートリッジを交換する場合には、ブラシ保護用キャップを容器本体に装着したままの状態でも、使用済みのカートリッジの外方終端部（頭部）近傍を摘んでパイプ部材から引き抜いて容器本体から抜き出す。次いで、入れ替わりに新しいカートリッジを容器本体の開口端部から挿入し、パイプ部材に第二ばねのばね力に抗して圧入することでカートリッジをジョイント部材に装着することができる。この結果、従来のように、キャップ０４や軸部材０３に相当する容器本体までを、首軸部材０１に相当するジョイント部材から逐一取り外して分解するような動作を不要化できる。そして、キャップを容器本体に取り付けたままの状態で、カートリッジの取り換え、取り付けを簡単、容易に、しかも短時間で行える操作性に優れた液体化粧料用塗布具を得ることができるようになる。
【００１２】
また、カートリッジを圧入して交換する間は、筒部材に装着されるキャップから受ける力により、ブラシホルダの弁座は第一ばねのばね力に抗してジョイント部材の弁部を閉じている。このため、新しいカートリッジ内の液体化粧料は、パイプ部材に圧入して進入していくカートリッジで生じる液体圧によりブラシから液体化粧料が不用意に漏れ出すようなことを回避でき、液体化粧料の無駄使いを防止できるようになる。殊に、カートリッジの交換を終えてキャップを取り外して使用しようとする場合には、ジョイント部材の弁部に至る液体通路は所定液体圧で充填状態となっているため、従来のように、ノックボタンを最初に押すような初期操作、すなわち、カートリッジを第二ばねばね力に抗して押し込むという動作を行うことは必要でなく、そのままブラシ保護用キャップを取り外し、カートリッジをノックするだけで、再使用の準備が整うこととなる。したがって、第一ばねのばね力により弁部から弁座が離反して形成された間隙から直ちに液体化粧料がブラシホルダのブラシへ供給されていくようになっている。その結果、液体化粧料を無駄にすることなく迅速に化粧を行うことができ、ひいては維持コストの安価な液体化粧料用塗布具を実現できるようになる。
【００１３】
さらに、通常使用時においても、ブラシに液体化粧料を補給したい場合には、ただ単に容器本体の開口端部から外部に突きだしているカートリッジの外方終端部を第二ばねのばね力に抗して押し込む動作を行うことで、カートリッジと一体になっているパイプ部材がジョイント部材に摺動する。これにより、押し込んだ回数、押し込み量等に応じた量の液体化粧料が液体通路から弁部と弁座との間の隙間を経由してブラシへ補給されていき、スムーズでフィーリングの良い液体化粧料用塗布具を得ることができる。
【００１４】
また請求項２記載の発明によれば、カートリッジの外方終端部に、上記容器本体の開口端部を通るノック用キャップを脱着自在に取り付けた構成にしているので、カートリッジ外方終端部（頭部）に、容器本体の表面に施したメッキ、塗装、あるいは容器本体自体の材質（例えば、プラスチック、金属等）に係る意匠に合わせたノック用キャップを脱着できる。こうして、種々の意匠を施されたノック用キャップを好みに合わせて使用でき、美的なおしゃれ感覚に優れた液体化粧料用塗布具を実現できるようになる。
【００１５】
また、請求項３記載の発明によれば、パイプ部材の内方端に第二ばねを受け止めるばねシートを形成すると共に、このばねシートに容器本体内に沿って移動可能でカートリッジの外方への最大移動量を規定するストップリングを設ける一方で、上記ノック用キャップに容器本体と当接可能なストッパ部を設けけた構成にすることにより、カートリッジ頭部を押し込んでノックした場合に、カートリッジと一体のパイプ部材のばねシートと、カートリッジ内方端との間に挟まれたストップリングは、容器本体内をスムーズに移動するので、液体化粧料の補給のためのカートリッジの移動操作フィーリングが優れたものとなる。また、カートリッジおよびカートリッジと一体のパイプ部材の摺動量（ストローク量）は、ストップリングが容器本体に当接する位置と、ノック用キャップのストッパ部が容器本体に当接する位置とで規定されるので、ノック用キャップの一回の押し込み操作による液体化粧料の液体通路側への補給量は常時一定の量に設定でき、液体化粧料の浪費を抑制することができるようになる。
【００１６】
また、請求項４記載の発明によれば、ブラシ保護用キャップは、アウターキャップと、同アウターキャップ内に移動可能に設けたインナーキャップと、上記アウターキャップと上記インナーキャップとの間に設けた上記第一ばねのばね力よりも大きなばね力を有する第三ばねとから形成し、上記ブラシ保護用キャップを上記容器本体に被着して、上記インナーキャップを上記ブラシホルダに当接させるとき、上記第三ばねのばね力が上記インナーキャップを介して上記ブラシホルダに伝達されるように構成している。このため、ブラシ保護用キャップを容器本体に装着するだけで、第三ばねのばね力により付勢されたインナーキャップブラシホルダに当接する。このように、ブラシホルダ、つまり弁座が第一ばねのばね力に打ち勝ってジョイント部材の弁部に密着して液体化粧料の通路を閉じるようになる。この結果、ブラシ保護用キャップを容器本体に装着することで、インナーキャップとアウターキャップとの間に設けた第三ばねのばね力により、弁座が弁部を閉じるため、例え強引にノック用キャップを押し込む操作をしようとしても、液体化粧料が不用意にブラシ側に補給されることはなく、液体化粧料の使用を節約できるようになる。
【００１７】
また、請求項５記載の発明によれば、ブラシホルダのホルダー部に設けられる上記ブラシ手段は、ブラシと、同ブラシ外周を包むブラシケースとで形成する一方で、同ブラシケースの外側に上記インナーキャップに当接可能な鍔部を形成した構成にしているため、ブラシの外周がブラシケースによって保護されることとなり、ブラシの不用意な損傷を未然に回避でき、また、ブラシ保護用キャップを容器本体に装着するときには、そのインナーキャップがブラシケースの外側に形成した鍔部に当接する。こうして、ブラシホルダはブラシケースと一体化されるので、インナーキャップが鍔部に当接すると、第三ばねのばね力は鍔部からブラシホルダに円滑に伝達されるようになる。その結果、ブラシ保護用キャップを容器本体に装着することで、確実に弁座を弁部に密着させることが可能となり、容器本体から取り外すことで弁座が弁部から第一ばねのばね力を受けて離隔して液体化粧料の補給通路を確保でき、確実に液体化粧料の供給と遮断とを行わせることができる。
【発明を実施するための最良の形態】
【００１８】
以下、本発明を実施するための最良の形態をアイライナーに適用した場合を例に挙げ、図に基づいて説明する。本実施の形態にかかるアイライナーの概略の構成を以下説明する。即ち、本発明のアイライナーは、円筒状の容器本体１とブラシ保護キャップ７を含む。
アイライナーは、図１ａに示すように、本発明のアイライナーは、使用しない状態ではノック用キャップ６ｄの一部を外部にのぞかせてある。ブラシ保護キャップ７は、円筒状の容器本体１に載置されている。本発明のアイライナーの内部断面構造は図２および図３に示したものとなる。
すなわち、図１（ｂ）に示すように、ブラシ保護用キャップ７を取り外すとブラシ４ａが現れる。そして、使用者は、アイラインにより化粧する。アイライナーの内部断面構造は図５に示したようになる。そして、図１（ｃ）に示すようにノック用キャップ６ｄを押し込むことで、図６に示すカートリッジ６から液体化粧料の適量をブラシ４ａへ補給できるようになっている。
【００１９】
図２，図３に示すように、容器本体１は短軸のＰＰ樹脂製ネックホルダー１ａと、その外側に圧入して固定した長軸のＰＰ樹脂製ボデー１ｂとから成る。
ジョイント部材２は、例えばＰＰ樹脂製でできており、ネックホルダー１ａの内部に設けられている。詳細には、このジョイント部材２は、ジョイント２ａとガイドシャフト２ｂとで形成されている。このガイドシャフト２ｂは、ジョイント２ａ芯部の軸線Ｌ方向（図３参照）に沿う細孔に挿通した、例えば低密度のポリエチレン材（ＬＬＤＰＥ）でできている。ガイドシャフト２ｂには、その一端側（液体化粧料の下流側）の先端に弁部２ｃが設けられると共に、ジョイント２ａの芯部に液体通路２ｄが形成される。また、ジョイント２ａはその大径部２ｅと係止部２ｆとがネックホルダー１ａ側の内部突起１ａ１の両側を挟むことにより容器本体１と一体化される。こうして、ジョイント部材２は、全体としてネックホルダー１ａに対して軸線Ｌ方向の他端側（液体化粧料の上流側）へオフセット配置される。そして、ジョイント部材２は一端側に弁部２ｃが備えられ、他端側に設けられたカートリッジからの液体化粧料を液体通路２ｄ、弁部２ｃを経由して下流側へ供給できるようになっている。
【００２０】
ブラシホルダ３は、例えば、ＰＰ樹脂材でできており、上記ジョイント部材２の一端側に摺動可能に設けられている。このブラシホルダ３の内部には、その略中央部に仕切り壁３ａが設けられている。仕切り壁３ａの上流側、つまりジョイント部材２側には上記弁部２ｃと密着したり離隔したりする弁座３ｂが設けられている。又、ブラシホルダ３にはジョイント２ａの突起部２ｇと当接可能なストッパ部３ｃと、突起部２ｇによりブラシホルダ３の軸線Ｌ方向への移動がガイドされる案内溝３ｄとが設けられている。ストッパ部３ｃと大径部２ｅとの間には、例えばステンレス材で形成したコイルスプリングの形態でなる第一ばねＳ１が圧縮した状態で設けられている。このため、第一ばねＳ１のばね力によりストッパ部３ｃが突起部２ｇに常時当接するように付勢される。
【００２１】
こうして、ブラシホルダ３に第一ばねＳ１を押圧する外力が作用しない場合、すなわち、キャップ６を取り外したような場合には、ブラシホルダ３は第一ばねＳ１のばね力によってジョイント部材２に対して下流側へ摺動して、図５に示すように弁座３ｂが弁部２ｃから離れて隙間が生じ、液体化粧料が下流側へ流れるようにしている。なお、符号Ｐ１は例えば、ＮＢＲ（ニトリルゴム）樹脂材で形成されたＯ−リングを示す。
【００２２】
又、ブラシ手段４は、上記ブラシホルダ３の仕切り壁３ａの左方側に形成されるホルダー部３ｅに支持されている。ブラシ手段４は、ブラシ４ａと、ブラシケース４ｂと、鍔部４ｃと、ステンレス材で形成したブラシパイプ４ｄとから成る。ブラシ４ａは、例えばＰＢＴ樹脂材（ポリブチレンテレフタレート）で成り、その外周にＰＰ樹脂製のブラシケース４ｂを設けてブラシ４ａの保護を図る。また、ブラシケース４ｂの外側には鍔部４ｃが設けられ、ブラシケース４ｂを、鍔部４ｃがブラシホルダ３の端部に当接するまで押し込む。これによりブラシケース４ｂが仕切り壁３ａ左方側の上記空洞部に取り付けられる。このため、鍔部４ｃに図２または図３における左方向（液体化粧料の下流方向）から右方向（上流方向）への外力が作用すると、それに応じてブラシホルダ３が第一ばねＳ１のばね力に抗して右方向へ摺動できるようになっている。
【００２３】
また、ネックホルダー１ａの外側には、ブラシ保護用キャップ６の挿入量を規定するキャップ止め鍔１ａ２が形成され、ブラシ保護用キャップ６がキャップ止め鍔１ａ２に当接する位置にくるまで着脱自在に挿入できるようになっている。
【００２４】
次に、ジョイント２ａの上流側にカートリッジ６が装着される構成について説明する。ジョイント２ａの上流側には、ネックホルダー１ａの終端係止部１ａ３から外方に突出し、その突出部を摺動可能にステンレス製のパイプ５が設けられる。パイプ５の内方端には第二ばねＳ２を受け止めるばねシート５ａが形成され、ばねシート５ａと係止部２ｆとの間にステンレス製のコイルスプリングの形態でなる第二ばねＳ２が縮設される。また、このばねシート５ａに容器本体１の軸線Ｌに沿ったネックホルダー１ａとジョイント２ａとの間の空洞を移動可能で、例えばＰＯＭ樹脂材（ポリアセタール樹脂）で形成したストップリング５ｂが設けられる。ストップリング５ｂは第二ばねＳ２のばね力により常時終端係止部１ａ３に係合する。これによりカートリッジ６外方端がボデー１ｂ開口端部１ｂ１から突出する最大突出量を規定するようになっている。パイプ５とジョイント２ａとの間にはＮＢＲ樹脂材で形成したＯ−リングＰ２が設けられ、パイプ５が摺動しても液体化粧料が外部へリークしないようにしている。こうして、ストップリング５ｂは第二ばねＳ２のばね力により、常時ネックホルダー１ａの終端係止部１ａ３に係合する状態に付勢される（図２，図３参照）。
【００２５】
上記パイプ５には、カートリッジ６が圧入して挿入されるようになっている。
このカートリッジ６は、図６によく示されるようにＰＰ樹脂製のカートリッジ本体６ａと、ボール６ｂを圧入固定したＬＬＤＰＥ樹脂製のパッキング６ｃと、カートリッジ本体６ａのボス状に形成した外方終端部６ａ１に脱着自在に取り付けたＰＰ樹脂製のノック用キャップ６ｄとから成る。ノック用キャップ６ｄにはボデー１ｂの開口端部１ｂ１に当接可能なストッパ部６ｄ１が設けられる。このノック用キャップ６ｄは、容器本体１すなわちボデー１ｂの表面に施したメッキ、塗装、あるいはボデー１ｂ自体の材質（例えば、プラスチック、金属等）に係る意匠に合わせたデザイン処理を行った種々のノック用キャップを適宜好みに応じてカートリッジ本体６ａの外方終端部６ａ１から取り外して趣向に応じた種類のキャップ６ｄに装着換えできるようにしている。
また、ノック用キャップ６ｄと一体のカートリッジ本体６ａの外側とボデー１ｂの内周との間にはわずかな隙間があるだけで、カートリッジ６は、その左右方向への移動への移動に際してガタ音がなくスムーズにガイドされる。
【００２６】
こうして、未使用のカートリッジ６を、ボデー１ｂの開口端部１ｂ１から挿入してストップリング５ｂに当接させ、第二ばねＳ２のばね力に抗してパイプ５に圧入する。これにより、ボール６ｂがカートリッジ内方へ押し込まれ、ボール６ｂを位置していた位置決め６ｂ１とパイプ５との間に生じる摩擦抵抗により、カートリッジ６はパイプ５と一体になってジョイント２ａに摺動可能となる。また、ノック用キャップ６ｄを摘んで引き抜くと、パイプ５のばねシート５ａがストップリング５ｂに引っ掛かって取り残され、カートリッジ６だけがパイプ５をスライドして抜き出される。次の新しいカートリッジを再びボデー１ｂの開口端部１ｂ１から挿入することにより、パイプ５で突かれたボール６ｂは位置決め部６ｂ１から外され、パイプ５はパッキング６ｃに圧入するので、カートリッジが取り換えが完了する。そして、ストップリング５ｂが終端係止部１ａ３に係合した位置において、ノック用キャップ６ｄのストッパ部６ｄ１がボデー１ｂの開口端部１ｂ１に当接するまで、第二ばねＳ２のばね力に抗して押し込む。これにより、カートリッジ６はパイプ５と一体になってジョイント２ａを摺動してポンプ作用を惹起させ、液体化粧料を液体通路２ｄから弁部２ｃへ供給できるようになるものである。
【００２７】
次に、ブラシ保護用キャップ７を説明する。このキャップ７の基本形態は、図４に示すように、アウターキャップ７ａと、同アウターキャップ７ａ内に移動可能に設けたインナーキャップ７ｂとの二重構造で、アウターキャップ７ａとインナーキャップ７ｂとの間に第一ばねＳ１のばね力よりも大きなばね力を有する第三ばねＳ３が縮設されている。インナーキャップ７ｂは常時第三ばねＳ３のばね力によりアウターキャップ７ａに設けたストッパ７ａ１に押圧されて係合する。キャップ７はアウターキャップ７ａの開口端が、容器本体１のネックホルダー１ａに設けたキャップ止め鍔１ａ２に係合するようになるまで被着される。また、アウターキャップ７ａの内側に係合部７ａ２が設けられ、相手側のネックホルダー１ａに設けた被係合部１ａ４（図５参照）に係合する。こうして、図４に示すキャップ７を図５に示す状態のブラシホルダ４に蓋をすると、図３に示すように係合部７ａ２が被係合部１ａ４に噛み合う。これにより、ブラシ保護用キャップ７は所定の係合力を維持してネックホルダー１ａに保持され、ブラシ４ａを保護する。
【００２８】
したがってまた、キャップ７によりブラシ４ａが蓋をされるときには、アウターキャップ７ａがキャップ止め鍔１ａ２に係合する前に、必ずインナーキャップ７ｂがブラシケース４ａの鍔４ｃに衝合する。その後もなお蓋をする力（外力）が作用するので、第三ばねＳ３のばね力がインナーキャップ７ｂから鍔４ｃを経由してブラシホルダ３に伝達される。この結果、キャップ７で蓋をすることで確実に弁座３ｂを弁部２ｃに密着させて液体化粧料の流通をカットし、逆にキャップ７を取り外すと、弁座３ｂは第一ばねＳ１のばね力を受けて離隔し、液体通路２ｄがブラシ４ａ側と連通して、液体化粧料の補給通路を確保できるようになっている。
【００２９】
次に、本実施の形態におけるアイライナーの使用における作動を説明する。図１（ａ）、すなわち図２，図３に示すようにブラシ保護用キャップ７でブラシホルダ３の一構成要素であるブラシ手段４が蓋をされている不使用の場合には、第三ばねＳ３のばね力が第一ばねＳ１のばね力に打ち勝っているため、弁座３ｂは弁部２ｃに密着し、弁座３ｂの弁孔は閉じている。このため、カートリッジ６内の液体化粧料は不用意にブラシ４ａ側へ供給されるのをカットする。また、カートリッジ６のノック用キャップ６ｄを押し込んで液体化粧料を供給しようとしても、弁孔は遮断されているので供給されることはない。
【００３０】
また、カートリッジ６を新しいものに交換する場合には、ブラシ保護用キャップ７で蓋をした状態のままで行うことができる。すなわち、ノック用キャップ６ｄをつまんでカートリッジ６をパイプ５から抜き出し、かつ、ボデー１ｂからも引き出すことで、外部に取り出すことができる。そして、新しいカートリッジをボデー１ｂに挿入していき、図２または図３に示すようにパイプ５に圧入して装着することにより、ブラシ保護用キャップ７を取り外すことなく蓋をしたままの状態で、カートリッジの取り換え動作が行える。この場合、キャップ７で蓋をしているので、カートリッジ交換時にカートリッジの押し込みによる圧力によって、液体化粧料が不用意にブラシ側へ吹き出すような事態を回避できる。
【００３１】
アイライナーとして使用する場合には、ブラシ保護用キャップ７を容器本体１から取り外す。すると、図５に示すようにブラシケース４ｂの鍔部４ｃを拘束する力が作用しなくなるので、ブラシホルダ３およびブラシ手段４は第一ばねＳ１のばね力によってストッパ部３ｃが突起部２ｇに左方へストロークして係合する。これにより、弁座３ｂは弁部２ｃから離間し、液体通路２ｄはブラシ４ａ側と連通することとなる。この結果、カートリッジ６のノック用キャップ６ｄを左方へノック（プッシュ）すると、カートリッジ６と一体のパイプ５は、第三ばねＳ３のばね力に抗してジョイント２ａを左方へストロークしていき、ストッパ部６ｄ１に当接して停止する。これにより、カートリッジ６内の液体化粧料が液体通路２ｄから弁部２ｃ、弁座３ｂを経由してブラシ４ａへ補給され、液体化粧料の絶やすことなくスムーズな化粧を行うことができる。
【００３２】
本実施の形態によれば、カートリッジ６の取り付け、取り外しを容易、かつ短時間で行える。また、カートリッジに取り付けるノック用キャップ６ｄをユーザーの好みに応じた種々のデザインのものを採用して装着できる。さらに、カートリッジ交換を行って新しいカートリッジを取り付けた場合には、ノック用キャップ６ｄをそのままノックすることで使用することが可能となる。
【００３３】
上記実施の形態では、アイライナーを例に挙げて説明してきたが、これ以外にまぶた、口紅、あるいはその他液体化粧料用塗布具にも適宜使用できるのは言うまでもない。また、上記アイライナーに採用した各部材、要素の材質は一例を示したものであり、その他の材質を採用してもよいことは勿論である。さらに、カートリッジ６にノック用キャップ６ｄを着脱自在に設けられるタイプについて説明したが、ノック用キャップ６ｄを用いない形態のカートリッジを採用することも可能である。この場合、勿論、カートリッジ自体をノックする構成とするものである。
【図面の簡単な説明】
【００３４】
【図１】図１は、本発明の液体化粧料塗布具の使用状態の概略を示す外観図である。
【図２】図２は、図１（ａ）の内部構造を示した拡大断面図である。
【図３】図３は、図２のアイライナーをさらに拡大して分断して示した拡大断面図である。
【図４】図４は、本発明のアイライナーに係るブラシ保護用キャップの断面図である。
【図５】図５は、図２に示すアイライナーからブラシ保護用キャップを外した状態を示す拡大断面図である。
【図６】図６ａは、本発明のアイライナーに適用されるカートリッジの断面図、図６ｂはカートリッジの外観図である。
【図７】図７ａから図７ｃは、従来の液体化粧料塗布具の使用状態の概略を示す外観図である。
【図１】
2008513175.tif 000003
【図２】
2008513175.tif 000004
【図３】
2008513175.tif 000005
【図４】
2008513175.tif 000006
2008513175.tif 000007
【図５】
2008513175.tif 000008
【図６】
2008513175.tif 000009
【図７】
2008513175.tif 000010
【国際調査報告】
2008513175.tif 000011